(57)【要約】【課題】汎用の陳列棚等に載置して、ボトルを体裁よく陳列することができるようにした軽量のボトル陳列装置、及びそれを棚板の前部に載置して、ボトルを体裁よく陳列しうるとともに、棚板の後部に載置した商品を容易に出し入れしうるようにした陳列棚を提供する。【解決手段】前後方向を向く複数の仕切枠６を、互いに間隔を置いて横桟９により連結してなり、仕切枠６、６間に、ボトルＢを前後方向に向けて寝かせて積層陳列する積層陳列部Ｃを形成するようにした下台４と、前後方向を向く複数の仕切枠８を、互いに間隔を置いて横桟１４により連結してなり、仕切枠８、８間に、ボトルＢを前下がり傾斜状態で陳列する傾斜陳列部Ｄを形成し、かつ下台４の上部に着脱自在に取付けられた上台５と、を備えるものとする。【選択図】        図３
2005013402.tif 000002
【特許請求の範囲】
【請求項１】
前後方向を向く複数の仕切枠を、互いに間隔を置いて横桟により連結してなり、仕切枠間に、ボトルを前後方向に向けて寝かせて積層陳列する積層陳列部を形成するようにした下台と、前後方向を向く複数の仕切枠を、互いに間隔を置いて横桟により連結してなり、仕切枠間に、ボトルを前下がり傾斜状態で陳列する傾斜陳列部を形成し、かつ前記下台の上部に着脱自在に取付けられた上台と、を備えることを特徴とするボトル陳列装置。
【請求項２】
単一の下台上に、左右方向の長さが下台より短い複数の上台を組み合わせて載置したことを特徴とする請求項１記載のボトル陳列装置。
【請求項３】
下台の上部に上向きの受け片を固着し、かつ上台の下部に、前記受け片に係合しうる係止片を固着したことを特徴とする請求項１または２記載のボトル陳列装置。
【請求項４】
下台及び上台における仕切枠を、ワイヤにより、方形または台形の枠状に形成し、下台及び上台を、ワイヤフレーム構造としたことを特徴とする請求項１〜３のいずれかに記載のボトル陳列装置。
【請求項５】
支柱に取り付けられた複数段の棚板のいずれかの後部に、ボトルまたは他の商品を載置し、かつ前記棚板の前部に、請求項１〜４のいずれかに記載のボトル陳列装置を載置し、かつ前記ボトル陳列装置における下台の積層陳列部及び上台の傾斜陳列部に、ボトルをそれぞれ載置して陳列したことを特徴とする陳列棚。
【請求項６】
複数段の棚板のそれぞれに、ボトル陳列装置を載置し、かつ上段の棚板に載置したボトル陳列装置における上台の傾斜陳列部の後上向き傾斜角を、下段の棚板に載置したボトル陳列装置におけるものより大としたことを特徴とする請求項５記載の陳列棚。
【発明の詳細な説明】
【０００１】
【発明の属する技術分野】
本発明は、ワインボトル等を陳列するボトル陳列装置、及びそれを用いた陳列棚に関する。
【０００２】
【従来の技術】
従来、店内において多数のワインボトルを見やすいように陳列するため、専用のワインラックを用いるか、または一般用の陳列棚における複数段の棚板のいずれかに、箱型のワインラックを載置して陳列することが知られている（例えば、特許文献１参照）。
【０００３】
【特許文献１】
特開２００１−２７５７６１号公報
【０００４】
【発明が解決しようとする課題】
しかし、専用のワインラックでは、ワインボトル以外の商品の陳列には不適であり、汎用性に欠ける。
【０００５】
また、箱型ワインラックは、それ自体の重量が重く、それにワインボトルを入れると、相当な重量になり、しかも、側面は孔開き金属板により閉塞されているので、視認性が悪く、汎用の陳列棚における棚板上に載置して陳列した場合、審美性に欠けるとともに、箱型ワインラックの後方の棚板上に載置したワインボトルが取り出しにくい等の問題がある。
【０００６】
本発明は、従来の技術が有する上記のような問題点に鑑み、汎用の陳列棚等に載置して、ボトルを体裁よく陳列することができるようにした軽量のボトル陳列装置、及びそれを棚板の前部に載置して、ボトルを体裁よく陳列しうるとともに、棚板の後部に載置した商品を容易に出し入れしうるようにした陳列棚を提供することを目的としている。
【０００７】
【課題を解決するための手段】
本発明によると、上記課題は、次のようにして解決される。
（１）ワイン陳列装置において、前後方向を向く複数の仕切枠を、互いに間隔を置いて横桟により連結してなり、仕切枠間に、ボトルを前後方向に向けて寝かせて積層陳列する積層陳列部を形成するようにした下台と、前後方向を向く複数の仕切枠を、互いに間隔を置いて横桟により連結してなり、仕切枠間に、ボトルを前下がり傾斜状態で陳列する傾斜陳列部を形成し、かつ前記下台の上部に着脱自在に取付けられた上台と、を備えるものとする。
【０００８】
（２）上記（１）において、単一の下台上に、左右方向の長さが下台より短い複数の上台を組み合わせて載置する。
【０００９】
（３）上記（１）または（２）項において、下台の上部に上向きの受け片を固着し、かつ上台の下部に、前記受け片に係合しうる係止片を固着する。
【００１０】
（４）上記（１）〜（３）項のいずれかにおいて、下台及び上台における仕切枠を、ワイヤにより、方形または台形の枠状に形成し、下台及び上台を、ワイヤフレーム構造とする。
【００１１】
（５）陳列棚において、支柱に取り付けられた複数段の棚板のいずれかの後部に、ボトルまたは他の商品を載置し、かつ前記棚板の前部に、上記（１）〜（４）項のいずれかに記載のボトル陳列装置を載置し、かつ前記ボトル陳列装置における下台の積層陳列部及び上台の傾斜陳列部に、ボトルをそれぞれ載置して陳列する。
【００１２】
（６）上記（５）項において、複数段の棚板のそれぞれに、ボトル陳列装置を載置し、かつ上段の棚板に載置したボトル陳列装置における上台の傾斜陳列部の後上向き傾斜角を、下段の棚板に載置したボトル陳列装置におけるものより大とする。
【００１３】
【発明の実施の形態】
以下、本発明の実施形態であるワイン陳列装置を、図１〜図１０を参照しながら説明する。
【００１４】
図１に示す例では、本実施形態のボトル陳列装置（Ａ）（Ａ’）は、陳列棚（１）における支柱（２）に水平に取り付けられた４段の棚板（３ａ）（３ｂ）（３ｃ）（３ｄ）のうち、最下段の棚板（３ｄ）と、上から第３段目の棚板（３ｃ）との前部に載置されている。
【００１５】
図２〜図４は、最下段の陳列棚（２ｄ）に設けられているボトル陳列装置（Ａ）の構成を示している。同図に示すように、ボトル装置（Ａ）は、下台（４）と、その上部に設けられた上台（５）とにより構成されている。
【００１６】
下台（４）は、ワイヤにより、方形枠状に形成された複数の仕切枠（６）が、棚板（３ｄ）の前後方向を向くようにして、かつ互いに左右方向に間隔を置いて平行をなすようにして、左右方向を向く複数の横桟（９）により連結され、直方体形状に構成されたワイヤフレーム構造をなしている。この下台（４）の底部には、金属板（７）が固着されている。この仕切枠（６）で仕切られた空間が、ワインボトル等のボトル（Ｂ）を前後方向に向けて、かつ若干前上がり傾斜状態で寝かせて積層陳列する積層陳列部（Ｃ）となっている。
【００１７】
上台（５）は、ワイヤにより、後部が若干高いほぼ台形枠状に形成された複数の仕切枠（８）が、棚板（３ｄ）の前後方向を向くようにして、かつ互いに左右方向に間隔を置いて平行をなすようにして、左右方向を向く横桟（１４）により連結されたワイヤフレーム構造をなしている。この仕切枠（８）の側面から見て中間部分には、傾斜フレーム（１５）が設けられ、この傾斜フレーム（１５）も横桟（１６）により連結されている（図４参照）。この傾斜フレーム（１５）と横桟（１６）とにより、ボトル（Ｂ）を前下がり傾斜して陳列する傾斜陳列部（Ｄ）を構成している。
【００１８】
図３は、ボトル陳列装置（Ａ）の分解斜視図である。同図に示すように、３個の上台（５）のそれぞれの左右方向の寸法は、下台（４）の左右方向の寸法を３分割した寸法としてあり、後述のように、下台（４）上に着脱自在に取付けられている。
【００１９】
図４は、３個の上台（５）のうち、両側のものは、下台（４）上に取付けたままで、中央のものだけを取り外した状態を示している。この状態では、ボトル陳列装置（Ａ）における中央の上台（５）を取り外した跡に、空間部（１７）ができる。
【００２０】
図５は、下から２段の棚板（３ｃ）上に設けられているボトル陳列装置（Ａ’）における上台（５’）のみを示している。この上台（５’）上は仕切枠（８’）の上縁及び傾斜フレーム（１５’）の傾斜角度が、図２〜図４に示すボトル陳列装置（Ａ）における上台（５）のものより急角度であり、その他は同一構造である（図１参照）。
【００２１】
図６は、下台（４）の平面図、図７は下台（４）の正面図である。
図３、図６および図７に示すように、両端の仕切枠（６）の内側に受け片（１０）が溶接により固定され、かつ中間（この実施形態では端から４本目）の仕切枠（６）の両側にも、受け片（１０）が固定されている。この受け片（１０）は、下方に垂直に延びる溶接部（１０ａ）が仕切枠（６）に溶接され、かつ溶接部（１０ａ）の上端にＬ字形の受け部（１０ｂ）が形成された金属部材である。
【００２２】
図８は上台（５）の側面図、図９は上台（５）の正面図である。
図３、図８および図９に示すように、上台（５）における両端の仕切枠（８）の内側面には、前後方向を向く細長い板状の係止片（１１）が溶接により固定されている。この係止片（１１）の下部には、上記受け片（１０）とほぼ同じ長さの係合溝（１２）が形成されている。
【００２３】
図１０は、下台（４）上に上台（５）を組み付けた状態のボトル陳列装置（Ａ）の正面図である。同図に示すように、上台（５）の係止片（１１）は、下台（４）の受け片（１０）で係止されるとともに、係合溝（１２）が受け片（１０）に係合して前後の動きが止められるようになっている。
【００２４】
図１に示すように、上記のように構成されたボトル陳列装置（Ａ）（Ａ’）は、棚板（２ｄ）（２ｃ）の前部にセットされる。なお、ボトル陳列装置（Ａ）（Ａ’）をセットする前に、棚板（２ｄ）（２ｃ）の後部にボトル（Ｂ）を立てて陳列しておく。そして、ボトル陳列装置（Ａ）（Ａ’）の下台（４）には、ボトル（Ｂ）を、先端を前向きで少し上向き状態に寝かせてを陳列し、その上の上台（５）（５’）には、ボトル（Ｂ）を、先端を後向きで少し上向き状態に寝かせて陳列する。上２段の陳列棚（２ａ）（２ｂ）は、目線に近い位置にあるので、この場合は、ボトル（Ｂ）を、前からラベルが見えるようにして、直立させて載置しておき、ボトル陳列装置（Ａ）（Ａ’）は用いないのが好ましい。（ただし、ボトル陳列装置（Ａ）（Ａ’）を置くことも可能である）。
【００２５】
上記のように構成された陳列棚（１）において、ボトル陳列装置（Ａ）（Ａ’）の後方に陳列されたボトル（Ｂ）を取り出す必要があるときは、その取り出すボトル（Ｂ）の前部に位置する上台（５）（５’）、例えば、図４に示すように、中央の上台（５）を取り外し、その取り外した跡の空間部（１９）から手を伸ばして、後方のボトル（Ｂ）を取り出すことができる。取り出した後は空間部（１９）に上台（５）を嵌めこんで、元の状態にセットしておく。上台（５）と下台（４）は、受け片（１０）と係止片（１１）とで係止しているので、上台（５）は簡単に取り付けおよび取り外しができる。
【００２６】
【発明の効果】
（Ａ）請求項１記載の発明によると、ボトル陳列装置を、汎用の陳列台の棚板等に載置して、ボトルを、下台の積層陳列部には積み重ねて、また上台の傾斜陳列部には、前下がり傾斜状態で、それぞれ寝かして載置し、体裁よく陳列することができる。
【００２７】
また、下台上に、ボトルが傾斜して陳列される上台を着脱自在に取り付けたので、下台の後方に配設した商品を取り出すときは、上台のみ下台から取り外すことにより、後方の商品を簡単に取り出すことができ、後方の商品の取り出しの手間および労力を軽減できる。
【００２８】
（Ｂ）請求項２記載の発明によると、ボトル陳列装置の後方にある商品を出し入れしたい場合、その商品の直前に位置する上台のみを下台から外して、その商品を容易に出し入れすることができ、上台全体を外す必要がないので、後方商品の取り出しの手間及び労力をさらに軽減することができる。
【００２９】
（Ｃ）請求項３記載の発明によると、下台の受け片上に、上台の係止片を係合させることにより、上台を安定して支持することができるとともに、上台を下台上に簡単に着脱することができる。
【００３０】
（Ｄ）請求項４記載の発明によると、下台および上台を、ワイヤで形成したワイヤフレーム構造としたので、軽量かつ安価に構成できる。
【００３１】
（Ｅ）請求項５記載の発明によると、陳列棚のいずれかの棚板上に、多段のボトルや他の商品を、３種類の態様で、集約的に収容して体裁よく陳列することができる。
特に、上台、またはその一部を下台から外すことにより、ボトル陳列装置の後方の棚板上に載置したワインボトルや他の商品を容易に出し入れすることができる。
【００３２】
（Ｆ）請求項６記載の発明によると、傾斜陳列部に載置したボトルの後上向き傾斜角が、下段のものほど小となるので、陳列棚に近づいた顧客等の目線に対して、各段の傾斜陳列部に載置されたボトルがすべてほぼ直角に近い角度となるようにすることができ、各段の上記ボトルの視認性が向上する。
【図面の簡単な説明】
【図１】本発明のボトル陳列装置を用いた陳列棚の一実施形態を示す側面図である。
【図２】同じく、ボトル陳列装置の斜視図である。
【図３】同じく、分解斜視図である。
【図４】同じく、３個の上台のうちの中央のものを取り外した状態の斜視図である。
【図５】上台の別の構造例を示す斜視図である。
【図６】下台の右半部の平面図である。
【図７】下台の右半部の正面図である。
【図８】上台の側面図である。
【図９】上台の正面図である。
【図１０】下台に上台を取付けたボトル陳列装置の中央部分の正面図である。
【符号の説明】
（１）陳列棚
（２）支柱
（３ａ）（３ｂ）（３ｃ）（３ｄ）棚板
（４）下台
（５）（５’）上台
（６）仕切枠
（７）金属板
（８）（８’）仕切枠
（９）横桟
（１０）受け片
（１０ａ）溶接部
（１０ｂ）受け部
（１１）係止片
（１２）係合溝
（１４）横桟
（１５）（１５’）傾斜フレーム
（１６）横桟
（１７）空間
（Ａ）（Ａ’）ワイン陳列装置
（Ｂ）ボトル
（Ｃ）積層陳列部
（Ｄ）傾斜陳列部
【図１】
2005013402.tif 000003
【図２】
2005013402.tif 000004
【図３】
2005013402.tif 000005
【図４】
2005013402.tif 000006
【図５】
2005013402.tif 000007
【図６】
2005013402.tif 000008
【図７】
2005013402.tif 000009
【図８】
2005013402.tif 000010
【図９】
2005013402.tif 000011
【図１０】
2005013402.tif 000012